(57)【要約】【課題】  表示板の構成に工夫を凝らして、光源点灯時において良好な視認性が得られるとともに斬新な見映えが得られる表示装置を提供する。【解決手段】  文字盤２を、透明な表示基板２０の視認者側面である表面２０ａに高反射率且つ光不透過層から形成された目盛２１、数字２２および文字２３と、表面２０ａと反対側の裏面２０ｂに高反射率且つ光不透過層から形成された背景部Ｂとから構成し、背景部Ｂに、視認方向において各目盛２１、数字２２および文字２３よりも内側にある開口部Ｃを設けた。これにより、目盛２１、数字２２および文字２３の輪郭を間接照明して、視認者に目盛２１、数字２２および文字２３の輪郭発光を眩しく感じさせることなく視認性に優れ、且つ文字盤２の見映えを立体感が強調された斬新な見映えのコンビネーションメータ１を提供することができる。【選択図】        図３
2005309157.tif 000002
【特許請求の範囲】
【請求項１】
透光性基板からなる表示板と、
前記表示板の背後に配置されて前記表示板を透過照明する光源とを備える表示装置であって、
前記表示板は前記透光性基板の視認者側面である表面に形成される表示意匠と前記透光性基板の前記表面と反対側の面である裏面に形成される背景部とを備え、
前記表示意匠は高反射率且つ光不透過層から形成され、
前記背景部は高反射率且つ光不透過層から形成され、
前記背景部は視認方向において前記表示意匠よりも内側にある開口部を備えることを特徴とする表示装置。
【請求項２】
前記高反射率且つ光不透過層は、それぞれ前記透光性基板側から明色層、着色層の順で積層された２層構造として形成されることを特徴とする請求項１に記載の表示装置。
【請求項３】
前記表示意匠および前記背景部の少なくとも一方は、透光性を有するように形成されることを特徴とする請求項１または請求項２に記載の表示装置。
【発明の詳細な説明】
【技術分野】
【０００１】
本発明は、表示装置に関するものであり、たとえば自動車等に搭載される車両用表示装置に適用するのに好適である。
【背景技術】
【０００２】
従来、たとえば、車両等に搭載される車両用表示装置においては、表示板を構成する透光性基板の一方の面側に例えば白色からなる透過色層を形成し、この透過色層上に所定の文字や目盛や記号等の表示を残して黒色の不透過層を設けることにより前記表示のみを光透過可能に設け、透光性基板の背後に光源を設け、この光源が点灯することにより表示板を透過照明するものがある。
【０００３】
この表示装置によれば、表示板は、光源が非点灯状態にあっては、不透過層の無い表示箇所において白色の透過色層が視認され、不透過層からなる黒色の背景に対して白色の表示が視認されることになる。
【０００４】
また、光源が点灯状態にあっては、不透過層に対応する箇所は黒色の背景として視認され、不透過層の無い表示箇所のみが背面に設けられた光源からの光により白色の透過色層を介して透過照明されることになる。
【０００５】
しかしながら、このような表示装置において、表示板の見映えは、光源点灯時と光源非点灯時とでは、黒色の背景に対して白色の表示が視認されるという関係に変わり無く、表示形態に大きな差異はないため、表示装置としての商品性，デザイン性に欠けるという問題があった。
【０００６】
この問題を解決するために、従来、たとえば、透光性基板の表面（視認者側面）に目盛、数字等の表示意匠を形成する表示層を光不透過色で形成し、透光性基板の裏面（視認者側と反対側面）に表示意匠の背景領域となる透光性明色層、たとえば透光性白色層を設け、この透光性白色層に重ねて光不透過層を形成するとともに、この光不透過層に、透光性基板表面の表示層位置に対応して表示層よりも大きい面積の開口部を形成した表示板が提案されている（特許文献１参照）。
【０００７】
このような表示板では、光源非点灯状態においては、表示意匠を形成するたとえば暗色からなる表示層は、明色、たとえば透光性白色層を背景として明瞭に視認される。
【０００８】
また、夜間等光源の点灯状態にあっては、光源からの光は、表示層と光不透過層との間の隙間から透光性明色層を透過して表示板から視認者側へ出射する。これにより、表示層の輪郭が明るく照明される。一方、表示意匠の背景領域は、光源からの光が光不透過層に遮られ、且つ外来光も無いため黒色で視認される。すなわち、黒色の背景中に表示層がその輪郭を明るく照明されて視認されることになる。
【０００９】
したがって、上述の表示板は、光源の点灯時と非点灯時とで大きく表示形態を異ならせることができる。
【特許文献１】特開２００２−１０４０１２号公報
【発明の開示】
【発明が解決しようとする課題】
【００１０】
上述の、特許文献１に記載の表示板を備える表示装置においては、透光性基盤の裏側の光不透過層に、表示層位置に対応して表示層よりも大きい面積の開口部を形成している。言い換えると、表示層は所定幅の透光性明色層で囲まれている。このため、光源点灯状態において、光源からの光は透光性明色層を透過すると直接視認者の眼に入射することになる。
【００１１】
このとき、表示層周囲の発光部分の発光輝度は、全体としてほぼ均一となっている。すなわち、表示層の輪郭が帯状に均一照度で発光表示されることになる。このため、光源点灯時における表示装置の見映えが面白みに欠けてしまう恐れがある。
【００１２】
一方、光源が点灯状態となるのは周囲が暗い時、たとえば夜間等であり、表示板の表示層の背景部分は外来光が照射されないので暗黒状態である。したがって、表示層の輪郭部の発光輝度とその周囲との明暗のコントラストが強くなり、視認者は、透光性明色層を透過する光源からの光を眩しく感じてしまう可能性がある。
【００１３】
本発明は、上記の問題点に鑑みなされたもので、表示板の構成に工夫を凝らして、光源点灯時において良好な視認性が得られるとともに斬新な見映えが得られる表示装置を提供することを目的とする。
【課題を解決するための手段】
【００１４】
本発明は上記目的を達成する為、以下の技術的手段を採用する。
【００１５】
本発明の請求項１に記載の表示装置は、透光性基板からなる表示板と、表示板の背後に配置されて表示板を透過照明する光源とを備える表示装置であって、表示板は透光性基板の視認者側面である表面に形成される表示意匠と透光性基板の表面と反対側の面である裏面に形成される背景部とを備え、表示意匠は高反射率且つ光不透過層から形成され、背景部は高反射率且つ光不透過層から形成され、背景部は視認方向において表示意匠よりも内側にある開口部を備える構成としている。
【００１６】
この場合、光源から発射された光は、光不透過層に形成された開口部を介して表示板の透光性基板に入射し、透光性基板表面の表示意匠である高反射率且つ光不透過層に入射してそこで反射される。なお、透光性基板に入射した光は、開口部が視認方向において表示意匠よりも内側にあるように形成されているため、表示意匠に遮られて表示板から視認者方向に直接出射することはない。表示意匠で反射された光の一部は、透光性基板内を進行して背景部である高反射率且つ光不透過層に入射し、そこで反射されて再び透光性基板内を表面に向かって進行する。そして、背景部からの反射光の進行方向が表示意匠よりも外側となったときに、背景部からの反射光は、透光性基板表面から視認者側に出射する。
【００１７】
従来の表示板においては、透光性基盤の裏側の光不透過層に表示意匠位置に対応して表示意匠よりも大きい面積の開口部を形成しているため、光源点灯時には、光源からの光は透光性明色層を透過すると直接視認者の眼に入射することになる。したがって、視認者は、表示意匠の輪郭発光部、つまり透光性明色層を透過する光源からの光を眩しく感じてしまい、表示板の視認性が低下する可能性があった。
【００１８】
これに対して、本発明の請求項１に記載の表示装置では、表示意匠の輪郭部からの帯状の発光は、少なくともも２回反射（先ず表示意匠、次に背景部）した反射光である。言い換えると、間接照明光的な柔らかい見映えとなり、視認者が、表示意匠の輪郭発光を眩しく感じることがない。
【００１９】
さらに、この帯状の発光部分の輝度は、全体に均一とはならずに、表示意匠の輪郭、つまり表示意匠の外周部分において最も高く、表示意匠から離れるに連れて徐々に低くなるように変化している。このため、表示意匠は、透光性基板の表面から浮き上がっているかのように見えるので、表示板の見映えを立体感が強調されたものとすることができる。
【００２０】
以上から、本発明の請求項１に記載の表示装置では、光源点灯時において良好な視認性が得られるとともに斬新な見映えが得られる。
【００２１】
なお、本発明の請求項１に記載の表示装置においても、従来の表示板と同様に、光源の点灯時と非点灯時とで大きく表示形態を異ならせることができる。すなわち、光源点灯時には、背景部は外来光により照射されず且つ光源により透過照明もされず暗黒となり、その中に同じく黒色の表示意匠がその輪郭が上述したように明るく帯状に発光して見える。一方、光源非点灯時には、背景部および表示意匠は外来光に照射されてそれぞれの色で視認される。
【００２２】
本発明の請求項２に記載の表示装置は、表示意匠および背景部は、それぞれ透光性基板側から明色層、着色層の順で積層された２層構造として形成される構成としている。
【００２３】
この場合、光源点灯時において、表示板に入射した光を、表示意匠の明色層および背景部の明色層、つまり高反射率層で反射して、光源からの光の利用効率を高めることができる。また、背景部においては、明色層および着色層の少なくとも着色層に開口部を形成することにより、光源からの光が開口部以外から背景部を照射することを確実に防止することができる。
【００２４】
また、光源非点灯時においては、外来光に照射されて、背景部は明色層の色で視認され、且つ表示意匠は着色層の色で視認される。すなわち、表示意匠を透光性基板側から明色層、着色層の順で積層された２層構造とすることで、光源非点灯時における表示意匠の視認色を任意に設定することが可能にできるので、表示板のデザイン設計自由度を向上することができる。
【００２５】
本発明の請求項３に記載の表示装置は、表示意匠および背景部の少なくとも一方は、透光性を有するように形成される構成としている。
【００２６】
このような構成とすることにより、光源点灯時において、表示意匠の輪郭を明るく帯状に発光させることに加えて、表示意匠および背景部の少なくとも一方をも光源からの光により透過照明することができる。
【００２７】
これにより、光源点灯時における表示板の見映えを斬新なものとすることができる。
【発明を実施するための最良の形態】
【００２８】
以下、本発明による表示装置を、自動車に搭載されるコンビネーションメータ１に適用した場合を例に図面に基づいて説明する。
【００２９】
図１は、本発明の一実施形態によるコンビネーションメータ１の部分正面図であり、自動車の走行速度を指示する速度計Ａを示している。なお、図１において、上方が自動車の上方であり、左右方向が自動車の幅方向となっている。
【００３０】
図２は、本発明の一実施形態によるコンビネーションメータ１の断面図であり、図１中のＩＩ−ＩＩ線断面図である。なお、図２において、左方が運転席であり、コンビネーションメータ１は、図２において、左側から視認される。
【００３１】
図３は、図１中のＩＩＩ−ＩＩＩ線断面の拡大図である。
【００３２】
図４は、図１中のＩＶ部拡大図である。
【００３３】
図５は、本発明の一実施形態によるコンビネーションメータ１の電気回路構成を説明する模式図である。
【００３４】
コンビネーションメータ１は、当該自動車の車室内の運転席前方に運転者が視認可能に設けられ、当該自動車の作動状態（走行速度、エンジン回転数等）や各種情報を表示するものである。
【００３５】
コンビネーションメータ１は、図１に示すように、文字盤２と、その表面に沿って回動する指針３によって、当該自動車の走行速度を指示するものである。
【００３６】
文字盤２は、透光性基板である平板状のたとえば無色透明のポリカーボネート樹脂あるいはアクリル樹脂からなる表示基盤２０の視認者側の面である表面２０ａに、図１に示すように、表示意匠である目盛２１、数字２２および文字２３を備えている。これらの目盛２１、数字２２および文字２３は、後述する指針３とともに自動車の走行速度を指示するためのものである。
【００３７】
表示意匠である目盛２１、数字２２および文字２３は、表示基板２０の表面２０ａに、高反射率且つ不透過層を設けることにより形成されている。本発明の一実施形態によるコンビネーションメータ１においては、高反射率且つ不透過層は２層構造として形成されている。すなわち、図３に示すように、表面２０ａ上に明色層である不透過の白色層Ｑが施され、白色層Ｑの直上に重ねて着色層である不透過の青色層Ｐが施されている。
【００３８】
一方、表示基板２０の表面２０ａと反対側の面である裏面２０ｂには、目盛２１、数字２２および文字２３の背景となる背景部Ｂが形成されている。背景部Ｂは、裏面２０ｂに、高反射率且つ不透過層を設けることにより形成されている。本発明の一実施形態によるコンビネーションメータ１においては、高反射率且つ不透過層は２層構造として形成されている。すなわち、図３に示すように、裏面２０ｂ上に明色層である不透過の白色層Ｒが施され、白色層Ｒの直上に重ねて着色層である不透過の黒色層Ｓが施されている。また、背景部Ｂには、各目盛２１、数字２２および文字２３に対応して、開口部Ｃが設けられている。開口部Ｃは、表示基板２０ｂの裏面２０ｂに背景部Ｂを設けないことにより形成されている。言い換えると、裏面２０ｂ上に白色層Ｒおよび黒色層Ｓを施さないことにより形成されている。したがって、開口部Ｃにおいては、表示基板２０の裏面２０ａが露出している。また、各開口部Ｃは、表示意匠である目盛２１、数字２２および文字２３の内側にあるように設けられている。すなわち、各開口部Ｃの形状は、図４に示すように、その輪郭線Ｘが視認方向において目盛２１および数字２２の各輪郭線Ｙの内側にあるように設定されている。これにより、文字盤２が、その背後に配置されている後述する光源である発光ダイオード４からの光により照射されたときに、開口部Ｃから表示基板２０内に入射した発光ダイオード４からの光は、必ず表示意匠である目盛２１、数字２２および文字２３に入射し、言い換えると白色層Ｑに入射し、直接表示基板２０から出射して視認者の眼に向かうことはない。
【００３９】
ここで、青色層Ｐ、白色層Ｑ、白色層Ｒおよび黒色層Ｓは、印刷あるいはホットスタンプ等により形成する、つまり塗料等の着色剤により形成することができる。また、白色層Ｑおよび白色層Ｒの少なくとも一方を、表示基板２０上に、金属めっきあるいは金属蒸着等を施して形成する、あるいは金属めっきあるいは金属蒸着等が施されたフィルムを貼着して形成する等してもよい。また、白色層Ｑおよび白色層Ｒの少なくとも一方を金属薄板から形成して表示基板２０に貼り付けてもよい。
【００４０】
なお、目盛２１は、図１に示すように、後述する指針３の回転軸であるシャフト５１を中心とした放射状に、且つシャフト５１と同心上の円弧上に配置されている。また、数字２２も、シャフト５１と同心上の円弧上に配置されている。
【００４１】
また、文字盤２は、図２に示すように、後述する指針３のボス部３ｂを文字盤２の裏側（図２の右側）へ挿通させるための貫通孔２０ｃを備えている。
【００４２】
指針３は、透光性材料、たとえば無色透明のポリカーボネート樹脂あるいはアクリル樹脂等から形成されている。指針３は、図２に示すように、そのボス部３ｂを介して、文字盤２の裏側（図２の右側）に配置される後述するムーブメント５のシャフト５１に固定されている。これにより、ムーブメント５が駆動されてシャフト５１が回転すると、指針３もシャフト５１と一体的に回転する。また、指針３の下面３ａは、不透光性の赤色で着色されている。これにより、コンビネーションメータ１外部からの外来光、たとえば太陽光によって照射されると、指針３は赤色で視認される。また、指針３は、文字盤２の裏側（図２の右側）に配置されている発光ダイオード６からの光により照明されると、赤色で発光表示される。
【００４３】
また、指針３には、図２に示すように、指針３のボス部３ｂの視認者側を覆う遮光キャップ９が装着されている。遮光キャップ９は、光不透過の材質、たとえば金属あるいは黒色の樹脂材料等から略円筒状に形成され、その直径は、文字盤２の貫通孔２０ｃの直径よりも大きく設定されている。したがって、遮光キャップ９により、発光ダイオード６からの光が、貫通孔２０ｃを通って直接視認者の眼に入射する、あるいは指針３の下面３ａを経ずに直接視認者の眼に入射することにより視認者が眩惑されることを確実に防止している。
【００４４】
指針３を回動させるための動力源であるムーブメント５は、たとえば交差コイル式アクチュエータあるいはステッピングモータ等が用いられている。ムーブメント５は、外部から電圧を印加されるとトルクを発生しシャフト５１を回動させる。これにより、シャフト先端に固定された指針３が、文字盤２の表面に沿って回動する。
【００４５】
上述した、発光ダイオード６およびムーブメント５は、文字盤２の裏側（図２の右側）に配置されているプリント基板７上に実装されている。プリント基板７は、たとえばガラスエポキシ基板等から形成され、コンビネーションメータ１の電気回路部を形成している。また、プリント基板７には、図２に示すように、光源である発光ダイオード４が実装されている。発光ダイオード４は、文字盤２の目盛２１、数字２２および文字２３を透過照明するためのものである。また、プリント基板７と文字盤２との間には発光ダイオード４に対応してリフレクタ１２ａが配置されている。リフレクタ１２ａは、発光ダイオード４が発する光を文字盤２方向へ導いて、発光ダイオード４が発する光の文字盤２照明への利用効率を高めている。また、リフレクタ１２ａは、後述するケーシング１１と一体的に作られている。また、プリント基板７には、発光ダイオード４、発光ダイオード６の点灯・消灯を制御する制御装置であるコントローラ８が実装されている。
【００４６】
コントローラ８は、たとえばマイクロコンピュータ等から構成され、発光ダイオード４および発光ダイオード６の点灯・消灯を制御するとともに、指針３を回動させるムーブメント５の駆動を制御している。
【００４７】
文字盤２の視認者側（図２の左側）には、見返し板１０を介して透光カバー１１が設置されている。透光カバー１１は、コンビネーションメータ１内部への異物、たとえば塵埃、水分の侵入を防止して、コンビネーションメータ１内部を清浄に保っている。
【００４８】
以上説明した、文字盤２、指針３、ムーブメント５、プリント基板７等は、ケーシング１２内に収容、固定されている。ケーシング１２は、たとえば樹脂材料から形成されている。また、ケーシング１２は、発光ダイオード４に対応した位置に発光ダイオード４が発する光を反射して効率良く文字盤２を照射させるためのリフレクタ１２ａを備えている。
【００４９】
次に、本発明の一実施形態によるコンビネーションメータ１の電気回路構成について、図５に基づいて説明する。
【００５０】
図５に示すように、コントローラ８には、バッテリ１４から電力が常時供給されている。
【００５１】
また、コントローラ８には、イグニッションスイッチ１３が、その操作位置（ＯＮまたはＯＦＦ）を検出可能に接続されている。
【００５２】
また、コントローラ８には、ライトコントロールスイッチ１６が、その操作位置（ＯＦＦ、車幅灯ＯＮ、前照灯ＯＮ）を検出可能に接続されている。
【００５３】
また、コントローラ８には、図５に示すように、自動車の走行速度検出用の速度センサ１５が検出信号を入力可能に接続されている。速度センサ１５は、たとえば、当該自動車のトランスミッション出力軸の回転数を検出するものである。
【００５４】
また、コントローラ８には、図５に示すように、発光ダイオード４、発光ダイオード６およびムーブメント５が接続されている。
【００５５】
コントローラ８は、ライトコントロールスイッチ１６の作動状態を検出して各発光ダイオード４、６の点灯・消灯を制御するとともに、速度センサ１５からの検出信号に基づいて自動車の速度を算出し、算出した速度を速度計Ａ上に指示するようムーブメント５を駆動している。
【００５６】
次に、本発明の一実施形態によるコンビネーションメータ１の視認状態について、特に本発明の一実施形態によるコンビネーションメータ１の特徴である文字盤２の構成による作用効果について説明する。
【００５７】
（１）ライトコントロールスイッチ１６がＯＦＦポジションのとき（主に昼間）。
【００５８】
この場合、コントローラ８は、各発光ダイオード４、６を消灯させている。したがって、コンビネーションメータ１の文字盤２は、外来光、たとえば太陽光により照明されることになる。すなわち、表示意匠である目盛２１、数字２２および文字２３は、青色層Ｐが外来光に照射されて青色に視認される。文字盤２の背景部Ｂは、白色層Ｒが外来光に照射されて白色に視認される。また、指針３は、その下面３ａが外来光に照射されて赤色に視認される。
【００５９】
したがって、ライトコントロールスイッチ１６がＯＦＦポジションのときは、コンビネーションメータ１は、白色を背景として、目盛２１、数字２２および文字２３が青色、指針３が赤色で視認される。
【００６０】
（２）ライトコントロールスイッチ１６が車幅灯ＯＮポジション、あるいは前照灯等ＯＮポジションのとき（主に夜間）。
【００６１】
この場合、コントローラ８は、各発光ダイオード４、６を点灯させている。
【００６２】
また、この場合、文字盤２を照射する外来光はない。また、発光ダイオード４から発する光は、不透過の青色層Ｐ、不透過の黒色層Ｓに遮られるため、文字盤２は透過照明されないので、文字盤２の目盛２１、数字２２、文字２３および背景部Ｂは暗黒状態、つまり黒色で視認される。
【００６３】
一方、発光ダイオード４が発する光は、図３中の矢印で示すように進行して、開口部Ｃを経て表示基板２０に入射すると、目盛２１、数字２２および文字２３の白色層Ｑに入射し、そこで反射して今度は白色層Ｒに入射する。そして、白色層Ｒで反射した反射光は、図３に示すように、表示基板２０の表面２０ａから出射して視認者の眼に向かって進む。これにより、図６に示すように、黒色の目盛２１、数字２２および文字２３の輪郭が白色で明るく帯状に発光表示される。
【００６４】
また、指針３は、発光ダイオード６からの光により照明されて赤色で発光表示される。
【００６５】
したがって、ライトコントロールスイッチ１６が車幅灯ＯＮポジション、あるいは前照灯等ＯＮポジションのときは、コンビネーションメータ１は、黒色を背景として、目盛２１、数字２２および文字２３は黒色且つその輪郭部を帯状に照明されて、指針３は赤色で発光して視認される。これにより、光源である発光ダイオード４、６の点灯・非点灯において、文字盤２の見映えを異なったものとすることができる。
【００６６】
このとき、白色層Ｒで反射して視認者方向に進む反射光において、目盛２１、数字２２および文字２３の輪郭直近の光は、視認方向と成す角度が最も小さく、言い換えると、視認者の眼の方向とほぼ一致し、目盛２１、数字２２および文字２３の輪郭から文字盤２表面に沿って離れるに連れて、視認方向と成す角度が大きくなる、言い換えると、視認者の眼の方向からそれていく。すなわち、目盛２１、数字２２および文字２３の輪郭の帯状発光部分における輝度が、全体に均一とはならずに、図６に示すように、目盛２１、数字２２および文字２３の輪郭部分において最も高く、目盛２１、数字２２および文字２３の輪郭から離れるに連れて徐々に低くなるように変化している。
【００６７】
これにより、目盛２１、数字２２および文字２３は、文字盤２から浮き上がるように、つまり視認者側に飛び出すかのように視認される。したがって、文字盤２の見映えを立体感が強調されたものとして、斬新な見映えのコンビネーションメータ１を提供することができる。
【００６８】
また、目盛２１、数字２２および文字２３の輪郭部からの帯状の発光は、文字盤２内において少なくともも２回反射（先ず白色層Ｑ、次に白色層Ｒ）した反射光である。この反射光は、従来の表示装置における透光性基盤の透光性明色層を透過して直接視認者の眼に入射する光と比較して、間接照明光的な柔らかい見映えとなり、視認者が、従来の表示装置のように表示意匠の輪郭発光を眩しく感じることがない。
【００６９】
したがって、視認者が、表示意匠の輪郭発光を眩しく感じることのない、視認性に優れるコンビネーションメータ１を提供することができる。
【００７０】
以上説明した、本発明の一実施形態によるコンビネーションメータ１は、文字盤２と、文字盤２の背後に配置されて文字盤２を透過照明する発光ダイオード４を備え、文字盤２は、透明な表示基板２０の視認者側面である表面２０ａに形成される表示意匠としての目盛２１、数字２２および文字２３と表面２０ａと反対側の面である裏面２０ｂに形成される背景部Ｂとを備え、目盛２１、数字２２および文字２３は、高反射率且つ光不透過層である２層、つまり表面２０ａの白色層Ｑおよびその上の青色層Ｐから形成され、背景部Ｂは、高反射率且つ光不透過層である２層、つまり裏面２０ｂの白色層Ｒおよびその上の黒色層Ｓから形成され、背景部Ｂは視認方向において各目盛２１、数字２２および文字２３よりも内側にある開口部Ｃを備える構成としている。
【００７１】
この場合、光源である発光ダイオード４点灯させて文字盤２を透過照明すると、発光ダイオード４からの光は、白色層Ｑおよび白色層Ｒで反射した後に各目盛２１、数字２２および文字２３の輪郭部から帯状の間接照明光として出射する。また、帯状の間接照明光の輝度は、全体に均一とはならずに、目盛２１、数字２２および文字２３の輪郭部分において最も高く、目盛２１、数字２２および文字２３の輪郭から離れるに連れて徐々に低くなるように変化している。このため、目盛２１、数字２２および文字２３は、視認者から見ると手前側に浮き上がるかのように見える。
【００７２】
これにより、視認者に目盛２１、数字２２および文字２３の輪郭発光を眩しく感じさせることのない視認性に優れるコンビネーションメータ１を提供するとともに、文字盤２の見映えを立体感が強調されたものとして、斬新な見映えのコンビネーションメータ１を提供することができる。
【００７３】
また、目盛２１、数字２２および文字２３を２層構造として形成する、すなわち表面２０ａ側の白色層Ｑと、その上に重ねられた着色層である青色層Ｐとからから形成することにより、目盛２１、数字２２および文字２３の反射率を高めて発光ダイオード４からの光の利用効率を高めるとともに、着色層の色を替えることにより、発光ダイオード４消灯時における目盛２１、数字２２および文字２３の視認色を容易且つ自由に設定することが可能となる。したがって、文字盤２のデザイン設計自由度を向上することができる。
【００７４】
なお、以上説明した、本発明の一実施形態によるコンビネーションメータ１においては、目盛２１、数字２２および文字２３の着色層を青色層Ｐとする、つまり発光ダイオード４消灯時における目盛２１、数字２２および文字２３の視認色を青色としているが、他の色に替えてもよい。また、目盛２１、数字２２および文字２３の視認色を同色とせずに複数種類の視認色から構成してもよい。
【００７５】
また、以上説明した、本発明の一実施形態によるコンビネーションメータ１においては、表示意匠である目盛２１、数字２２および文字２３と、背景部Ｂとを表示基板２０側から明色層、着色層の順で積層された２層構造としているが、目盛２１、数字２２および文字２３と、背景部Ｂとの少なくとも一方を一層の高反射率且つ光不透過層から形成してもよい。たとえば、上述した、本発明の一実施形態によるコンビネーションメータ１において、背景部Ｂを、遮光性の高い白色層から形成するとともに、目盛２１、数字２２および文字２３を遮光性の高い銀色層から形成してもよい。この場合、発光ダイオード４消灯時、つまり昼間においては、文字盤２は、白色の背景中に、目盛２１、数字２２および文字２３が銀色で視認される。または、背景部Ｂを、細かいヘアライン仕上げのアルミニウム薄板で形成し、且つ目盛２１、数字２２および文字２３を鏡面状のアルミニウム薄板からから形成してもよい。この場合、発光ダイオード４消灯時、つまり昼間においては、文字盤２は、艶消し状のアルミ色の背景中に、目盛２１、数字２２および文字２３が銀色で輝いて視認される。
【００７６】
また、以上説明した、本発明の一実施形態によるコンビネーションメータ１においては、表示意匠である目盛２１、数字２２および文字２３と、背景部Ｂは、両方とも光不透過としているが、両者の少なくとも一方を光透過性を有するように形成して発光ダイオード４からの光により透過照明されるようにしてもよい。この場合、目盛２１、数字２２および文字２３、背景部Ｂの透過照明による発光輝度と、目盛２１、数字２２および文字２３の輪郭発光の発光輝度とを、本発明の一実施形態によるコンビネーションメータ１により得られる効果、すなわち目盛２１、数字２２および文字２３の輪郭発光による斬新な見映えを損なわないようなレベルに設定することは言うまでもない。
【００７７】
また、以上説明した、本発明の一実施形態によるコンビネーションメータ１においては、指針３の下面３ｂを赤色に着色しているが、赤色に限定する必要はなく、他の色を用いてもよい。また、下面３ｂに着色せずに、指針３自体を透光性に着色された樹脂から形成してもよい。
【００７８】
また、以上説明した、本発明の一実施形態によるコンビネーションメータ１においては、光源として発光ダイオード４および発光ダイオード６を用いているが、発光ダイオードに限る必要はなく、これらの少なくとも一つを他の種類の光源、たとえば電球、放電灯、ＥＬパネル等に置き換えてもよい。
【００７９】
また、以上説明した、本発明の一実施形態によるコンビネーションメータ１では、コントローラ８は、図５に示すように、イグニッションスイッチ１３のＯＮ、ＯＦＦには無関係に発光ダイオード４、６の点灯・消灯を制御しているが、この構成に限る必要は無く、たとえば、イグニッションスイッチ１３がＯＮ状態のときだけライトコントロールスイッチ１６の操作ポジションに基づいて発光ダイオード４、６の点灯・消灯制御を実施し、イグニッションスイッチ１３がＯＦＦ状態のときは、ライトコントロールスイッチ１６の操作ポジションに依らずに発光ダイオード４、６の消灯させるようにしてもよい。
【００８０】
また、以上説明した、本発明の一実施形態によるコンビネーションメータ１は速度計Ａ部を例に説明しているが、速度計Ａに限定する必要はなく、他の種類の計器、たとえば、当該自動車のエンジン回転速度を指示するタコメータ、燃料タンク内の残存燃料量を指示する燃料計、エンジン冷却水温度を指示する水温計等に適用してもよい。また、一つのコンビネーションメータ１内に、計器を複数個備えてもよい。
【００８１】
また、以上説明した、本発明の一実施形態による表示装置を車両用以外の用途の各種機器、たとえば民生用機器等に適用してもよい。
【図面の簡単な説明】
【００８２】
【図１】本発明の一実施形態によるコンビネーションメータ１の部分正面図である。
【図２】本発明の一実施形態によるコンビネーションメータ１の断面図であり、図１中のＩＩ−ＩＩ線断面図である。
【図３】図１中のＩＩＩ−ＩＩＩ線断面の拡大図である。
【図４】図１中のＩＶ部拡大図である。
【図５】本発明の一実施形態によるコンビネーションメータ１の電気回路構成を説明する模式図である。
【図６】本発明の一実施形態によるコンビネーションメータ１の発光ダイオード４点灯時における見映えを説明する模式図である。
【符号の説明】
【００８３】
１    コンビネーションメータ（表示装置）
２    文字盤（表示板）
２０    表示基板（透光性基板）
２０ａ    表面
２０ｂ    裏面
２１    目盛（表示意匠）
２２    数字（表示意匠）
２３    文字（表示意匠）
３    指針
３ａ    下面
３ｂ    ボス部
４    発光ダイオード
５    ムーブメント
５１    シャフト
６    発光ダイオード（光源）
７    プリント基板
８    コントローラ
９    遮光キャップ
１０    見返し板
１１    透明カバー
１２    ケーシング
１２ａ    リフレクタ
１３    イグニッションスイッチ
１４    バッテリ
１５    速度センサ
１６    ライトコントロールスイッチ
Ａ    速度計
Ｂ    背景部
Ｃ    開口部
Ｐ    青色層（高反射率且つ光不透過層、着色層）
Ｑ    白色層（高反射率且つ光不透過層、明色層）
Ｒ    白色層（高反射率且つ光不透過層、明色層）
Ｓ    黒色層（高反射率且つ光不透過層、着色層）
Ｘ    輪郭線
Ｙ    輪郭線
【図１】
2005309157.tif 000003
【図２】
2005309157.tif 000004
【図３】
2005309157.tif 000005
【図４】
2005309157.tif 000006
【図５】
2005309157.tif 000007
【図６】
2005309157.tif 000008